(57)【特許請求の範囲】
【請求項１】
遮断器と、断路機能および接地機能の少なくとも一方を具備する開閉機器とが、絶縁性ガスが封入された本体タンクに収容され、断路機能および接地機能の少なくとも一方を具備する母線開閉機器が、絶縁性ガスが封入されて前記本体タンクの上方又は下方に配置された母線開閉機器タンクに収容され、前記母線開閉機器タンクの外部に母線が配置されたガス絶縁スイッチギヤにおいて、
前記母線開閉機器は、直動する可動軸の軸線を前記母線開閉機器タンクの前後方向に水平に向け、且つ、多相構成される各相を前記母線開閉機器タンクの幅方向に並べて配置された第１の母線開閉機器と、前記第１の母線開閉機器の上方又は下方に前記第１の母線開閉機器と同様に配置された第２の母線開閉機器とで構成され、
前記母線と前記母線開閉機器の端子とを接続する絶縁スペーサが、前記母線開閉機器タンクの背面側に２箇所、及び、上面側又は下面側に１箇所、前記母線開閉機器タンクを貫通して設置可能としたことを特徴とするガス絶縁スイッチギヤ。
【請求項２】
電力取引用の変成器が機器室に収容され、断路機能および接地機能の少なくとも一方を具備する母線開閉機器が、絶縁性ガスが封入されて前記機器室の上方又は下方に配置された母線開閉機器タンクに収容され、前記母線開閉機器タンクの外部に母線が配置されたガス絶縁スイッチギヤにおいて、
前記母線開閉機器は、直動する可動軸の軸線を前記母線開閉機器タンクの前後方向に水平に向け、且つ、多相構成される各相を前記母線開閉機器タンクの幅方向に並べて配置された第１の母線開閉機器と、前記第１の母線開閉機器の上方又は下方に前記第１の母線開閉機器と同様に配置された第２の母線開閉機器とで構成され、
前記母線と前記母線開閉機器の端子とを接続する絶縁スペーサが、前記母線開閉機器タンクの背面側に２箇所、及び、上面側又は下面側に１箇所、前記母線開閉機器タンクを貫通して設置可能としたことを特徴とするガス絶縁スイッチギヤ。
【請求項３】
請求項１記載のガス絶縁スイッチギヤにおいて、
前記第１の母線開閉機器と前記第２の母線開閉機器との接続、及び、前記各母線開閉機器の端子と前記絶縁スペーサとの接続が、接続導体を取り替えることにより変更でき、前記遮断器から前記各母線開閉機器を経由して前記母線に至る経路が変更可能なように構成されていることを特徴とするガス絶縁スイッチギヤ。
【請求項４】
請求項２記載のガス絶縁スイッチギヤにおいて、
前記第１の母線開閉機器と前記第２の母線開閉機器との接続、及び、前記各母線開閉機器の端子と前記絶縁スペーサとの接続が、接続導体を取り替えることにより変更でき、前記変成器から前記各母線開閉機器を経由して前記母線に至る経路が変更可能なように構成されていることを特徴とするガス絶縁スイッチギヤ。
【請求項５】
請求項１〜請求項４のいずれか１項に記載のガス絶縁スイッチギヤにおいて、
前記母線は固体絶縁母線であることを特徴とするガス絶縁スイッチギヤ。
【請求項６】
請求項１〜請求項５のいずれか１項に記載のガス絶縁スイッチギヤにおいて、
前記各母線開閉機器は３位置断路器であることを特徴とするガス絶縁スイッチギヤ。 
【発明の詳細な説明】
【技術分野】
【０００１】
この発明は、電力の送配電及び受電設備などに用いられるガス絶縁スイッチギヤに関し、特に、その母線配置に関するものである。
【背景技術】
【０００２】
受変電設備を対象としてガス絶縁スイッチギヤで構成される一般的な回路構成の一例を図１０に示す。この構成は、常用予備の２回線で受電する受電ユニット及び２系統の負荷ユニットの間に電力取引量を計測する取引用変成器（ＶＣＴ）をバイパスさせた、常予備２回線ＶＣＴバイパス２バンクの例である。
受電ユニット部は、送電回路または配電回路から架空線または受電ケーブル３１で引き込み、入り口に避雷器３２が設けられ、受電側断路器３３、受電側遮断器３４、母線断路器３５を経由して受電側母線に接続されており、受電側遮断器３４の両端および受電端には接地開閉器３６が設けられた構成である。両側に母線断路器３５を有する取引用変成器（ＶＣＴ）３７を経て、負荷ユニットは、負荷側母線に母線断路器３５、負荷側遮断器３８が接続され、変圧器３９に直接またはケーブルを介して接続されている。負荷ユニットの負荷側遮断器３８の両端にも接地開閉器３６が設けられている。バイパス回路には母線断路器３５と接地開閉器３６を有し、取引用変成器（ＶＣＴ）３７と対応する片方のバンクにはバイパス断路器４０が設けられて構成されている。
【０００３】
上記のような受電設備に用いられる従来のガス絶縁スイッチギヤの構造として、例えば、次のような構成のものが知られている。絶縁性ガスが封入された密閉容器に、軸線を前後に水平方向に延在させて遮断器が収容され、その遮断器の上方に、第１の母線断路器と第２の断母線路器とが、軸線を水平にし、且つ、密閉容器の奥行き方向に並べて配設されている。第１の母線断路器の上方には第１のガス絶縁母線が配置され、第２の母線断路器の上方には第２のガス絶縁母線が配置され、遮断器は、上記各断路器を介してそれぞれの母線に接続されている。
また、遮断器の下方には、第３の断路器が配設され、この断路器を介してケーブル終端接続箱に接続されるように構成されている（例えば、特許文献１参照）。
【先行技術文献】
【特許文献】
【０００４】
【特許文献１】特開２００７−２８７７６号公報（第４−５頁、図１）
【発明の概要】
【発明が解決しようとする課題】
【０００５】
特許文献１に示すような従来のガス絶縁スイッチギヤでは、母線断路器が奥行き方向に並設され、ガス絶縁母線が断路器の上方に断路器に対応させて配置されて密閉タンクに収容された構造であるため、現地据付時には密閉タンクのガス処理が必要であり、また、母線接続部は最大２ヶ所までしか設定できないので、列盤される場合に母線接続経路に制約があるという問題点があった。
例えば、特許文献１に示すガス絶縁スイッチギヤを、上記で説明した図１０のような回路に適用する場合には、母線は直線的な配置しかできないため、必然的に図１１のような構成になる（但し、避雷器は図示を省略している）。図１１で縦方向に一点鎖線で区画された部分は、スイッチギヤの１ユニットを示す。図１０に示す機器と同等部分は同一符号で示している。図１１に示すように、受電ユニット部４１，４２と負荷ユニット部４３，４４を特許文献１のスイッチギヤで構成しようとすれば、取引用変成器３７とバイパス断路器４０を両側に配置し、更に、バイパス用の母線断路器３５を収容する断路器ユニット４５を設ける必要があった。
【０００６】
また、母線部を、ガス絶縁母線に換えて固体絶縁母線を使用する技術も提案されているが、この場合でも、特許文献１の構成では、母線接続部は２箇所しかないので、母線経路が干渉しないような列盤配置にしようとすれば、図１１のような構成にするか、別途、可撓性のケーブル等を使用して経路を迂回させる必要があった。
【０００７】
この発明は上記のような問題点を解消するためになされたもので、列盤される盤間の母線経路を短くし、スイッチギヤ構成の縮小化を図ったガス絶縁スイッチギヤを得ることを目的とする。
【課題を解決するための手段】
【０００８】
この発明に係るガス絶縁スイッチギヤは、遮断器と、断路機能および接地機能の少なくとも一方を具備する開閉機器とが、絶縁性ガスが封入された本体タンクに収容され、断路機能および接地機能の少なくとも一方を具備する母線開閉機器が、絶縁性ガスが封入されて本体タンクの上方又は下方に配置された母線開閉機器タンクに収容され、母線開閉機器タンクの外部に母線が配置されたガス絶縁スイッチギヤにおいて、母線開閉機器は、直動する可動軸の軸線を母線開閉機器タンクの前後方向に水平に向け、且つ、多相構成される各相を母線開閉機器タンクの幅方向に並べて配置された第１の母線開閉機器と、第１の母線開閉機器の上方又は下方に第１の母線開閉機器と同様に配置された第２の母線開閉機器とで構成され、母線と母線開閉機器の端子とを接続する絶縁スペーサが、母線開閉機器タンクの背面側に２箇所、及び、上面側又は下面側に１箇所、母線開閉機器タンクを貫通して設置可能としたものである。
また、電力取引用の変成器が収容された機器室の上方又は下方に、上記の母線開閉機器タンク及び母線と同様の母線開閉機器タンク及び母線を配置して構成したものである。 
【発明の効果】
【０００９】
この発明のガス絶縁スイッチギヤによれば、本体タンクの上方又は下方に配置された母線開閉機器タンクに収容される母線開閉機器を、軸線を母線開閉機器タンクの前後方向に水平に向けて配置した第１の母線開閉機器と、第１の母線開閉機器の上方又は下方に第１の母線開閉機器と同様に配置した第２の母線開閉機器とで構成し、母線と母線開閉機器の端子とを接続する絶縁スペーサを、母線開閉機器タンクの背面側に２箇所、及び、上面側又は下面側に１箇所、母線開閉機器タンクを貫通して設けたので、列盤されるガス絶縁スイッチギヤの盤間の母線経路に自由度が増し、列盤構成の縮小化を図ったガス絶縁スイッチギヤを得ることができる。
また、本体タンクに替えて、電力取引用の変成器が収容された機器室とし、機器室の上方又は下方に配置された母線開閉機器タンクを、上記と同様に構成したので、取引用変成器を有する回路構成の場合の列盤配置において、母線接続が容易になり、列盤構成の縮小化を図ることができる。
【図面の簡単な説明】
【００１０】
【図１】この発明の実施の形態１によるガス絶縁スイッチギヤの構成を示す側面断面図である。
【図２】図１によるガス絶縁スイッチギヤの変形例を示す側面断面図である。
【図３】この発明の実施の形態１によるガス絶縁スイッチギヤの他の構成を示す側面断面図である。
【図４】図３によるガス絶縁スイッチギヤの変形例を示す側面断面図である。
【図５】図３によるガス絶縁スイッチギヤの他の変形例を示す側面断面図である。
【図６】母線開閉機器を１台のみ使用する場合の構成を示す側面断面図である。
【図７】この発明の実施の形態１によるガス絶縁スイッチギヤで母線を下部側に配置した場合の構成例である。
【図８】この発明の実施の形態１によるガス絶縁スイッチギヤを図１０の回路に適用した場合のユニット構成図である。
【図９】図８のユニット構成におけるユニット相互間の母線の接続状態を示す図である。
【図１０】一般的な受電回路の回路構成の一例を示す回路図である。
【図１１】従来のスイッチギヤを図１０の回路に適用した場合のユニット構成図である。
【発明を実施するための形態】
【００１１】
実施の形態１．
以下、図に基づいて、実施の形態１のガス絶縁スイッチギヤを説明する。
まず、全体の概要から説明すると、図１に示すように、絶縁性ガスが封入された金属性の本体タンク１の内部に、遮断器２および接地機能を有する３位置断路器３，避雷器４，接地開閉器５が収容されている。本体タンク１の上面には絶縁性ガスが封入された金属製の母線開閉機器タンク６が配置されており、内部に第１の母線開閉機器７と第２の母線開閉機器８とが高さ方向に並設されて収容されている。母線開閉機器タンク６の背面側と上面側に母線９ａ〜９ｃが配置されており、全体が、前面側に開閉扉を有する金属製の筐体１０に収容されて構成されている。
【００１２】
各部の配置関係を更に詳しく説明する。
本体タンク１には、前面の開口部に着脱可能なように気密に取付けた共通の機器取付板１１を有している。遮断器２は、直動する可動軸の軸線を前後方向に水平に向け、且つ、３相ユニットを本体タンク１の幅方向（すなわち、ガス絶縁スイッチギヤ本体の幅方向）に均等な間隔を空けて並べて配置され、機器取付板１１に絶縁支持されている。
遮断器２の下部に、３相の遮断器に対応して、遮断器２と同様に、可動軸の軸線を水平に向け、且つ、３相ユニットを本体タンク１の幅方向に均等な間隔を空けて、断路機能と接地機能を有する３位置断路器３が、機器取付板１１に絶縁支持されている。
更に、３位置断路器３の下方に、３位置断路器３と同様に軸線を水平に向けて、接地開閉器５が機器取付板１１に絶縁支持されている。
【００１３】
また、本体タンク１の背面側には、壁面に貫通して３相分のケーブルヘッド１２が取り付けられ、その下方に、避雷器４が配設されている。
ケーブルヘッド１２は、３位置断路器３を介して遮断器２の可動側端子２ａに接続されている。また、ケーブルヘッド１２は、接地開閉器５の可動側端子に接続導体１３により接続され、接地開閉器５の固定側端子が避雷器４に接続されている。これにより、接地開閉器５を操作することで、ケーブル側と避雷器４とが接続されると共に、必要に応じてケーブル側を接地できるように構成されている。
【００１４】
なお、本体タンク１内に収容される機器は、図１の構成に限定するものではない。遮断器２と、断路機能および接地機能の少なくとも一方を具備する開閉機器（図１の場合は３位置断路器３や接地開閉器５が相当）を有するが、スイッチギヤのユニット構成によっては、例えば、避雷器４や接地開閉器５がない場合もある。また、図では、３位置断路器３として説明したが、断路器と接地開閉器とを個別に設けても良い。更に、ケーブルヘッド１２を使用しないで、ブッシング等を介して変圧器等の機器に接続される場合もある。
【００１５】
次に、上方の母線開閉機器タンク６の内部構成について説明する。
母線開閉機器タンク６にも、前面の開口部に着脱可能なように気密に取付けた機器取付板１４を有している。
第１の母線開閉機器７は、直動する可動軸の軸線を母線開閉機器タンクの前後方向に水平に向け、且つ、３相構成される各相を母線開閉機器タンク６の幅方向に均等な間隔を空けて並べて配置され、機器取付板１４に絶縁支持されている。
第２の母線開閉機器８は、第１の母線開閉機器７の上方に、第１の母線開閉機器７と同様に（取付の向きと間隔を同じにし、各相の垂直方向を合わせて）機器取付板１４に絶縁支持されている。すなわち、両母線開閉機器７，８は、上下に並べて配設されている。
【００１６】
図では、各母線開閉機器７，８として、断路機能と接地機能を有する３位置断路器で構成した場合を示している。以下の説明では、これらを適宜、第１の母線断路器７、第２の母線断路器８と称する。
なお、母線開閉機器は、断路機能および接地機能の少なくとも一方を具備する開閉機器であれば良く、３位置断路器に限定するものではない。また、断路器と接地開閉器とを個別に設けても良いが、３位置断路器を採用すれば、コンパクトに構成できる。
【００１７】
母線開閉機器タンク６の外側には、３相の固体絶縁の母線９ａ〜９ｃが、ガス絶縁スイッチギヤの筐体１０の幅方向に延在させて（すなわち、図の紙面に垂直方向に軸線を向けて）、３セット配置されている。この内の２セットは、母線開閉機器タンク６の後方に配置された母線９ａ，９ｂであり、残る１セットは、母線開閉機器タンク６の上方に配置された母線９ｃである。なお、母線１セットで３相分なので、図のように、各セットは３本の母線で構成され、それぞれが機器側のＵ，Ｖ，Ｗ相に接続されている。
【００１８】
母線９ａ〜９ｃと各母線断路器７，８とは、母線開閉機器タンク６を貫通して気密に設けられた絶縁スペーサ１５ａ〜１５ｃを介して各相毎に接続されている。各絶縁スペーサは、内部に貫通導体を有し絶縁部材でモールドされて構成されたものである。
背面に設けられた絶縁スペーサ１５ａ，１５ｂは、母線開閉機器タンク６の内部側で接続導体１６により接続され、更に、各母線断路器７，８の入側端子と接続されている。一方、上面に設けられた絶縁スペーサ１５ｃは、第２の母線断路器８の中間端子に接続導体１７を介して接続されている。
【００１９】
なお、母線断路器７，８を構成する３位置断路器の各端子のうち、先端側（図で右側）の固定端子を入側端子７ａ，８ａと称し、操作装置側にあって接地される側を接地側端子７ｂ，８ｂと称し、両者の中間部にある端子を中間端子７ｃ，８ｃと称することにする。軸線上を移動する可動子が、入側端子７ａと中間端子７ｃ（又は８ａと８ｃ）とに接触した状態で断路器が閉極され、接地側端子７ｂと中間端子７ｃ（又は８ｂと８ｃ）とに接触した状態で接地開閉器が閉極される。
【００２０】
本体タンク１と母線開閉機器タンク６との間には、中間ブッシング１８が気密に設けられている。中間ブッシング１８は絶縁部材の中心部に中心導体が埋設されて構成されたものである。中間ブッシング１８の上端側は、第１の母線断路器７の中間端子７ｃに接続され、下端側は接続導体１９によって遮断器２の固定側端子２ｂに接続されている。
更に、各タンク１，６の機器取付板１１，１４の前面側には、遮断器２の可動子を駆動するための遮断器駆動装置２０と各３位置断路器又は接地開閉器の可動子を駆動するための開閉器駆動装置２１がそれぞれ設けられているが、本発明の主要部ではないので詳細な説明は省略する。
【００２１】
主回路の電流通路は、ケーブルヘッド１２−３位置断路器３−遮断器２−中間ブッシング１８−母線断路器７，８−絶縁スペーサ１５ａ〜１５ｃ−母線９ａ〜９ｃの経路となる。このとき、遮断器２から母線９ａ〜９ｃのへの経路は、図１では、第１の母線断路器７を経由し後方の母線９ａ，９ｂに接続される経路と、両母線断路器７，８を経由し上方の母線９ｃに接続される経路とがある。これらは必要に応じ、後述のような手段で任意に選択することができる。また、各絶縁スペーサ１５ａ〜１５ｃの外側の対応位置に母線が配置されない箇所が生じるケースがあるので、そのときは当該絶縁スペーサの外部側にキャップにより蓋をしておけばよい（詳細は後述する）。
すなわち、図１では、母線を３組表示しているが、これは配置可能な全ての状態を示したものである。本実施の形態のガス絶縁スイッチギヤは、ガス絶縁スイッチギヤが使用される受配電設備の回路構成により、また、列盤されるガス絶縁スイッチギヤの配置構成によって、３箇所ある位置から最適のものを選択して接続可能にしたものである。このことを、以下に、他の構成例を示して説明する。
【００２２】
図２はガス絶縁スイッチギヤの他の構成を示す側面断面図であり、図１の変形例である。図１と同等部分は同一符号で示して説明を省略し、相違点のみを説明する（以下、図３〜図７の説明も同様）。
図１では、母線開閉機器タンク６の内部側で接続導体１６により両母線断路器７，８及び絶縁スペーサ１５ａ，１５ｂを接続していたが、図２では、接続導体１６ａと接続導体１６ｂとに２分し、下側の第１の母線断路器７と上側の第２の母線断路器８とを電気的に分離したものである。
【００２３】
また、図３はガス絶縁スイッチギヤの更に他の構成を示す側面断面図である。図２と同様に、背面側の絶縁スペーサ１５ａ，１５ｂは、各母線断路器７，８に接続導体１６ａと１６ｂによって個別に接続されている。そして、第１の母線断路器７の中間端子７ｃと第２の母線断路器８の入側端子８ａとを接続導体２２で接続している。
なお、同じ接続導体２２を使用して、破線で示すように第１の母線断路器７の入側端子７ａと第２の母線断路器８の中間端子８ｃとを接続することも可能である。
【００２４】
図４は、更に別の例であり、図３の構成において、母線９ｂを使用しないときの例である。母線を接続しない場合は、その部分の絶縁スペーサの、母線開閉機器タンク６の外側に露出する側に、絶縁キャップ２３をかぶせておく。図４の場合であれば、絶縁スペーサ１５ｂの外部側に絶縁キャップ２３をかぶせている。
このように、母線９ａ〜９ｃの配置によって、絶縁スペーサ１５ａ〜１５ｃを任意に選択し、接続する母線がない場合は、当該絶縁スペーサの外部側に絶縁キャップ２３で蓋をして密閉しておけばよい。これは、図１や図２の場合でも同様である。
【００２５】
また、ガス絶縁スイッチギヤの列盤構成によって、予め母線接続しないことが分かっており、増設等による変更の可能性もないような箇所では、絶縁スペーサを取り付けておく必要は無いので、図５に示すように、当該部分の絶縁スペーサを省いて蓋板２４により塞いで気密にしておけばよい。図５では、第２の母線断路器８の裏面側の絶縁スペーサ取付部を塞いだ場合を示したが、塞ぐ場所は、当然、状況に応じて変化する。
【００２６】
上記図５では、母線接続が不要な部分の絶縁スペーサを省いたものを説明したが、列盤構成によっては、母線断路器が１台のみでよい場合もある。そのような場合には、母線断路器１台と当該母線断路器に接続する絶縁スペーサ及び母線のみの構成とし、他の部分は蓋板２４をしておけばよい。
図６はそのような場合の構成例であり、母線断路器は第１の母線断路器７のみとし、絶縁スペーサ１５ａを介して母線９ａに接続した場合を示している。他の絶縁スペーサの取付部には蓋板２４を設けている。
【００２７】
図７は、更に別のガス絶縁スイッチギヤの構成例である。基本的には、図１と同じであるが、図１とは天地を逆にし、母線開閉機器タンク６を本体タンク１の下方に配置して構成したものである。ケーブルの引き込み，引き出しが、上方からの場合に対応するものであり、この構成では、両母線断路器７，８のうち、遮断器２に近い上側の方を第１の母線断路器７とする。３組の絶縁スペーサのうちの絶縁スペーサ１５ｃは、母線開閉機器タンク６の下面側に配置されている。すなわち、完全に天地が逆になっているだけで図１と同じなので詳細な説明は省略する。
なお、図２〜図６と同様の構成で、天地を逆にした構成でもよい。
【００２８】
また、図１０の回路構成図で説明したように、受電設備には、取引用変成器ＶＣＴが設置される場合がある。この取引用変成器を収容するガス絶縁スイッチギヤにも、本発明を適用することができる。
図示を省略するが、スイッチギヤの筐体の下部側を機器室として、機器室に取引用変成器を収容し、上方に、図１の母線開閉機器タンク６と同等の母線開閉機器タンクを配置して、全体で取引用変成器ユニットとして構成するものである。機器室はガス絶縁は不要である。この場合も、母線の接続は、列盤配置によって、３箇所のうちの最適な母線位置を選択して接続できる。なお、機器室の下方に母線開閉機器タンクを配置しても良い。
【００２９】
次に、以上のように構成されたガス絶縁スイッチギヤの作用について説明する。
母線開閉機器タンク６内に、同形状の母線断路器７，８を上下２段に配置したことにより、駆動装置２１を２台とも前面に配置できるので、母線開閉機器タンク６の上面（又は下面）と背面に絶縁スペーサ１５ａ〜１５ｃを配置することが可能となり、更に、母線９ａ〜９ｃを固体絶縁母線とすることで、背面側に絶縁スペーサを上下にコンパクトに配置することが可能になった。
【００３０】
また、両母線断路器７，８の接続、及び、各母線断路器７，８の端子と絶縁スペーサ１５ａ〜１５ｃとの接続を、接続導体を取り替えることにより変更可能にしたので、母線断路器７，８の各端子からは絶縁スペーサ１５ａ〜１５ｃを介して３箇所の母線のいずれにも接続可能であり，母線接続部を任意に選択することができるため、ガス絶縁スイッチギヤのユニットが列盤配置されたとき、母線接続の自由度が増し、接続が簡単になる。
すなわち、図１〜図７で説明したような構成のガス絶縁スイッチギヤを用いて受電回路を構成する場合、回路構成により適宜組み合わせて使用することで、さまざまな列盤構成に対して柔軟に母線を配置することが可能となり、列盤される盤間の母線経路を最適に構成することができる。
【００３１】
上記の点を、ユニット構成図によって説明する。
図８は、背景技術の項で説明した図１０のような受電回路を、本実施の形態のガス絶縁スイッチギヤを適用して構成した場合のユニット構成図である。図１〜図７で説明した構成の機器とは符号を合わせている（但し、避雷器部分は省略している）。縦方向に一点鎖線で区画した１区画がスイッチギヤの１ユニットである。これら各ユニットを本願のガス絶縁スイッチギヤで構成するものとする。
図のように、左側に２回線の受電ユニットを配置し、右側に２系統の負荷ユニットを配置して、中央部に取引用変成器（ＶＴＣ）ユニットを配置することが可能となる。各ユニット間の母線接続は、背面側の２箇所と上面側（又は下面側）の１箇所のいずれかを利用して接続すれば、母線間の干渉のない接続が可能である。
図８を、図１１と比較すれば、図１１の断路器ユニット４５がない分、全体が縮小化されることが分かる。
【００３２】
図９は、図８のユニット構成図を、図１〜図７で説明したガス絶縁スイッチギヤを適宜組み合わせて実際に列盤した場合を示し、（ａ）は平面図、（ｂ）は背面図、（ｃ）は側面図を示している。但し、各ユニットの筐体１０は省略し、本体タンク１と母線開閉機器タンク６が見えている状態を表している。図のように、母線接続箇所が３箇所あるので、これらを適宜組み合わせることにより、互いに干渉することなく最適な母線配置を行うことが可能となった。また、母線に固体絶縁母線を使用することで、母線相互間が縮小でき小形化を図ることができる。
【００３３】
以上のように、実施の形態１のガス絶縁スイッチギヤによれば、遮断器等の開閉機器が収容された本体タンクの上方又は下方に母線開閉機器タンクを配置し、母線開閉機器タンクに収容される母線開閉機器を、軸線を母線開閉機器タンクの前後方向に水平に向けて配置した第１の母線開閉機器と、第１の母線開閉機器の上方又は下方に第１の母線開閉機器と同様に配置した第２の母線開閉機器とで構成し、母線と母線開閉機器の端子とを接続する絶縁スペーサを、母線開閉機器タンクの背面側に２箇所、及び、上面側又は下面側に１箇所、母線開閉機器タンクを貫通して設けたので、列盤されるガス絶縁スイッチギヤの盤間の母線経路の最適化を図ることができ、列盤構成の縮小化を可能にしたガス絶縁スイッチギヤを提供することができる。また、特許文献１のような前後に母線断路器が配置されたものに比べ、タンクの奥行きを縮小でき、設置面積の縮小化を図ることができる。
【００３４】
また、上記の本体タンクに替えて、取引用変成器が収容された機器室としたものでは、取引用変成器を有する回路構成の場合の列盤配置において、母線接続が容易になる。
【００３５】
また、第１の母線開閉機器と第２の母線開閉機器との接続、及び、各母線開閉機器の端子と絶縁スペーサとの接続が、接続導体を取り替えることにより変更でき、遮断器から各母線開閉機器を経由して母線にいたる経路が変更可能なように構成したので、更に、母線接続の自由度が増し、経路の最適化を図ることができる。
【００３６】
また、母線は固体絶縁母線としたので、母線開閉機器タンクの背面側に上下に並べて配置でき、ガス絶縁スイッチギヤの小形化を図ることができる。また、ガス処理を必要としないので、設置が容易となる。
【００３７】
更に、母線開閉機器は３位置断路器としたので、断路機能と接地機能がコンパクトにまとめられるため、ガス絶縁スイッチギヤの小形化を図ることができる。
【符号の説明】
【００３８】
１  本体タンク                        ２  遮断器
２ａ  可動側端子                      ２ｂ  固定側端子
３  ３位置断路器                      ４  避雷器
５  接地開閉器                        ６  母線開閉機器タンク
７  第１の母線開閉機器（第１の母線断路器）
８  第２の母線開閉機器（第２の母線断路器）
７ａ，８ａ  入側端子                  ７ｂ，８ｂ  接地側端子
７ｃ，８ｃ  中間端子                  ９ａ〜９ｃ  母線
１０  筐体                            １１，１４  機器取付板
１２  ケーブルヘッド
１３，１６，１６ａ，１６ｂ，１７，１９，２２  接続導体
１５ａ〜１５ｃ  絶縁スペーサ          １８  中間ブッシング
２０  遮断器駆動装置                  ２１  開閉器駆動装置
２３  絶縁キャップ                    ２４  蓋板
３１  受電ケーブル                    ３２  避雷器
３３  受電側断路器                    ３４  受電側遮断器
３５  母線断路器                      ３６  接地開閉器
３７  取引用変成器（ＶＴＣ）          ３８  負荷側遮断器
３９  変圧器                          ４０  バイパス断路器
４１，４２  受電ユニット              ４３，４４  負荷ユニット
４５  断路器ユニット。
【図１】
0005419606.tif 000002
【図２】
0005419606.tif 000003
【図３】
0005419606.tif 000004
【図４】
0005419606.tif 000005
【図５】
0005419606.tif 000006
【図６】
0005419606.tif 000007
【図７】
0005419606.tif 000008
【図８】
0005419606.tif 000009
【図９】
0005419606.tif 000010
【図１０】
0005419606.tif 000011
【図１１】
0005419606.tif 000012